(57)【要約】      （修正有）【課題】屈折効果を利用した幻想的な照明器具を提供する。【解決手段】ＬＥＤライト８とＬＥＤライト８を覆う透明の内カバー２と当該内カバー２を覆う透明の外カバー３と当該内カバー２と当該外カバー３との空間に充填したジェルからなる照明器具であって、当該内カバー２は、光透過部を有する模様が施されており、当該外カバー３は、側面が弧状の曲面を環状に有している。【選択図】図１
0003219840.tif 000002
【実用新案登録請求の範囲】
【請求項１】
ＬＥＤライトとＬＥＤライトを覆う透明の内カバーと当該内カバーを覆う透明の外カバーと当該内カバーと当該外カバーとの空間に充填したジェルからなる照明器具であって、当該内カバーは、光透過部を有する模様が施されており、当該外カバーは、側面が弧状の曲面を環状に有していることを特徴とする照明器具
【請求項２】
内カバーは、柱体であることを特徴とする請求項１に記載の照明器具
【請求項３】
柱体は、略円柱又は略多角柱であることを特徴とする請求項１乃至請求項２に記載の照明器具
【請求項４】
ジェルは、ラメを含有していることを特徴とする請求項１乃至請求項３に記載の照明器具
【請求項５】
ジェルは、芳香又は消臭を含有していることを特徴とする請求項１乃至請求項４に記載の照明器具
【考案の詳細な説明】
【技術分野】
【０００１】
本考案は、照明器具に関する。
【背景技術】
【０００２】
従来、インテリア照明器具としてライトの色が変化するものやライトが炎のようにゆらめくものが知られている。
【０００３】
また、照明器具の全体の形状やシェード部分の形状に特徴が有るものも知られてる。
【特許文献１】特開２００６−２１０３０２
【非特許文献１】意願２０１６−２５４９８
【０００４】
しかし、ライトの変化だけでは、その場のムードは楽しめるが、幻想的な効果に乏しく、外観に特徴が有るものは、特に構造的に特徴が無ければ意匠権による保護が望ましい。
【考案の概要】
【考案が解決しようとする課題】
【０００５】
そこで、内カバーと外カバーの２重構造の空間部分にジェルを充填することにより、屈折効果を利用した従来にない照明器具の開発に成功した。
【課題を解決するための手段】
【０００６】
請求項１記載の考案は、ＬＥＤライトとＬＥＤライトを覆う透明の内カバーと当該内カバーを覆う透明の外カバーと当該内カバーと当該外カバーとの空間に充填したジェルからなる照明器具であって、当該内カバーは、光透過部を有する模様が施されており、当該外カバーは、側面が弧状の曲面を環状に有していることを特徴とする。
【０００７】
請求項２記載の考案は、内カバーは、柱体であることを特徴とする。
【０００８】
請求項３記載の考案は、柱体は、略円柱又は略多角柱であることを特徴とする。
【０００９】
請求項４記載の考案は、ジェルは、ラメを含有していることを特徴とする。
【００１０】
請求項５記載の考案は、ジェルは、芳香又は消臭を含有していることを特徴とする。
【考案の効果】
【００１１】
本考案は以上説明したような形態で実施され、次のような効果を有する。
【００１２】
請求項１記載の考案によれば、内カバーの光透過部からの射光効果及び内カバーが膨張して見えるに従い、内カバー側面に施した模様が見る角度によって拡張して見える。
【００１３】
請求項２記載の考案によれば、内カバーが膨張して見えるに従い、内カバー側面に施した模様の下部は末広がりに、上部は逆末広がりに拡張して見える。
【００１４】
請求項３記載の考案によれば、内カバーが膨張して見えるに従い、内カバー側面に施した模様の下部は末広がりに、上部は逆末広がりに拡張して見える。
【００１５】
請求項４記載の考案によれば、立体的な奥行き感の表現効果を有する。
【００１６】
請求項５記載の考案によれば、芳香又は消臭の効果を有する。
【図面の簡単な説明】
【００１７】
【図１】照明器具の断面図
【図２】ジェルを充填する前の照明器具を示す図
【図３】ジェルを充填した後の照明器具を真横から見た図
【図４】ジェルを充填した後の照明器具を斜め上から見た図
【考案を実施するための形態】
【００１８】
ＬＥＤライト８を、光透過部７を有する模様６を施した略円柱の透明の内カバー２と当該内カバーを覆う弧状の曲面で形成された環状の側面を有した透明の外カバー３とで覆い、内カバーと外カバーとの空間に充填したジェル中にラメ５及び芳香又は消臭を含有する。
【実施例１】
【００１９】
まず、図１のように、天面及び底面が開口し、弧状の曲面で形成された環状の側面を有する透明の外カバー３の底面にＬＥＤライト８を配置し、略円柱の内カバー２で当該ＬＥＤライトを覆う。
【００２０】
このとき、図２のように、略円柱の内カバー２の側面には、ＬＥＤライト８の光透過部７を有する模様６を施しておく。
【００２１】
例えば、透明の略円柱の内カバー２の側面に町の建物とその上空に広がる夜空に星座の模様を印刷する場合、星座を構成する星の透明度を高くし、その他の部分は透明度を低くして光を透過させる部分による模様を施す。
【００２２】
そうすることで、図２においては、模様の内、星部分、夜空の薄グレーの部分、濃いグレーの部分の順に光が弱くなり、建物部分からは光が透過しにくくなることで、幻想的な照明効果をもたらすことが出来る。
【００２３】
本効果は、上記と同様の模様を予め印刷したシートを内カバー側面にシーリングしても可能である。
【００２４】
また、透明の略円柱の内カバー２の天面は、開口しても、塞いで模様の一部としても構わない。
【００２５】
次に、内カバー２と透明の外カバー３との空間にジェル４を充填して本考案の照明器具１を完成させる。
【００２６】
このとき、図３のように、ジェル４にラメ５を混ぜることで、略円柱の内カバー２の側面の模様６と外カバー３との間に奥行きが感じられ、ＬＥＤライトの光がラメに反射することで、一層幻想的な照明効果をもたらすことが出来る。
【００２７】
そして、略円柱の内カバー２が、充填ジェル４と外カバー３の曲面により屈折し、一定の大きさに膨張するに従いの側面の模様６も拡張する。
【００２８】
その為、図１のように、真横から見ると略円柱の内カバー２の側面の模様６が均等に拡張し、図４のように、斜め上から見ると末広がりに拡張し、斜め下から見ると逆末広がりに模様が拡張する。
【００２９】
また、内カバー２の形状は特に限定するものではないが、実施例のように、模様が施せる空中の柱体が望ましい。
【００３０】
その場合、柱体とは、略円柱、略多角柱をいい、また、これらの組み合わせであっても、屈折効果により、見る角度によって模様の拡張を楽しむことが出来る。
【００３１】
更に、ジェル４に芳香剤や消臭剤を添加すれば、芳香・消臭としての効果をもたらす照明器具１となり得る。
【００３２】
なお、ジェル４の色や、ラメ５の大きさ又は色は任意に選択し得る。
【００３３】
ここまで、実施例を通して照明器具１を示したが、本考案はその実施例に限定されるものではなく、本考案の要旨の範囲内で種々に改変できる。
【符号の説明】
【００３４】
１  照明器具
２  内カバー
３  外カバー
４  ジェル
５  ラメ
６  模様
７  光透過部
８  ＬＥＤライト
【図１】
0003219840.tif 000003
【図２】
0003219840.tif 000004
【図３】
0003219840.tif 000005
【図４】
0003219840.tif 000006
【手続補正書】
【提出日】平成30年11月27日(2018.11.27)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤライトとＬＥＤライトを覆う透明の内カバーと当該内カバーを覆う透明の外カバーと当該内カバーと当該外カバーとの空間に充填したジェルからなる照明器具であって、当該内カバーは、光透過部を有する模様が施されており、当該外カバーは、側面が弧状の曲面を環状に有していることを特徴とする照明器具。
【請求項２】
内カバーは、柱体であることを特徴とする請求項１に記載の照明器具。
【請求項３】
内カバーは、略円柱又は略多角柱であることを特徴とする請求項１乃至請求項２の何れかに記載の照明器具。
【請求項４】
ジェルは、ラメを含有していることを特徴とする請求項１乃至請求項３の何れかに記載の照明器具。
【請求項５】
ジェルは、芳香剤又は消臭剤を含有していることを特徴とする請求項１乃至請求項４の何れかに記載の照明器具。